(57)【要約】【課題】適切な時期に寿命到達処理を実行することが可能な空気調和機を提供する。【解決手段】室内機１と室外機２とリモコン３とのいずれかに設けられ、空気調和運転がなされている状態で経過した時間である運転積算時間Ｔ３を記憶する記憶手段１２、２２を備えている。記憶手段１２、２２に記憶された運転積算時間Ｔ３に基づいて算出される製品状態値Ｐが、予め設定された設定寿命値Ｊ１、Ｊ２に達すると、所定の寿命到達処理を実行する。【選択図】図２
2009275943.tif 000002
【特許請求の範囲】
【請求項１】
室内機（１）と、室外機（２）と、当該室内機及び当該室外機を操作するためのリモコン（３）と、を備える空気調和機において、
前記室内機と前記室外機と前記リモコンとのいずれかに設けられ、空気調和運転がなされている状態で経過した時間である運転積算時間を記憶する記憶手段（１２、２２）と、
前記記憶手段に記憶された運転積算時間に基づいて算出される製品状態値が、予め設定された設定寿命値に達すると、所定の寿命到達処理を実行する寿命到達処理実行手段（１１、２１）と、
を備え、
前記記憶手段を複数有することを特徴とする空気調和機。
【請求項２】
室内機（１）と、室外機（２）と、当該室内機及び当該室外機を操作するためのリモコン（３）と、を備える空気調和機において、
前記室内機と前記室外機と前記リモコンとのいずれかに設けられ、空気調和運転がなされている状態で経過した時間である運転積算時間に相関する値である製品状態値を記憶する記憶手段（１２、２２）と、
前記記憶手段に記憶された製品状態値が、予め設定された設定寿命値に達すると、所定の寿命到達処理を実行する寿命到達処理実行手段（１１、２１）と、
を備え、
前記記憶手段を複数有することを特徴とする空気調和機。
【請求項３】
室内機（１）と、室外機（２）と、当該室内機及び当該室外機を操作するためのリモコン（３）と、を備える空気調和機において、
前記室内機と前記室外機と前記リモコンとのいずれかに設けられ、空気調和運転がなされている状態で経過した時間である運転積算時間を記憶する記憶手段（１２、２２）と、
前記記憶手段に記憶された運転積算時間が、予め設定された設定寿命時間に達すると、所定の寿命到達処理を実行する寿命到達処理実行手段（１１、２１）と、
を備え、
前記記憶手段を複数有することを特徴とする空気調和機。
【請求項４】
前記記憶手段は、前記室内機と前記室外機と前記リモコンとのうちの、少なくともいずれか２つにそれぞれ設けられていることを特徴とする請求項１乃至請求項３のいずれか一項に記載の空気調和機。
【請求項５】
前記複数の記憶手段のうちの一の記憶手段が、新たな記憶手段に交換されると、他の記憶手段に記憶された運転積算時間又は製品状態値を、当該新たな記憶手段に移行して記憶させるデータ移行手段（１１、２１）を備えることを特徴とする請求項１乃至請求項４のいずれか一項に記載の空気調和機。
【発明の詳細な説明】
【技術分野】
【０００１】
本発明は、空気調和運転がなされた時間に基づいて所定の寿命到達処理を実行する機能を備えた空気調和機に関する。
【背景技術】
【０００２】
従来、空気調和運転がなされた時間に基づいて所定の寿命到達処理を実行する機能を備えた空気調和機として、特許文献１に記載されたものがある。
特許文献１に記載の空気調和機は、運転中に圧縮機又は送風機の少なくともいずれかの運転時間を計測する手段と、計測された運転時間より圧縮機又は送風機の経過時間データを算出する演算部と、演算された経過時間データを記憶する記憶装置とを備えている。そして、演算部は、あらかじめ設定された寿命時間データと比較して、演算した経過時間が寿命時間データよりも大きくなった場合に空気調和機を停止する。
【０００３】
【特許文献１】特開２００５−５５００９号公報
【発明の開示】
【発明が解決しようとする課題】
【０００４】
しかしながら、特許文献１に記載の空気調和機においては、記憶装置を含む部品が新たな部品に交換されると、交換時までの経過時間データを失ってしまう。そのため、適切な時期に空気調和機を停止させることができない。
【０００５】
そこで、この発明は、上記のような課題を解決するためになされたものであり、適切な時期に寿命到達処理を実行することが可能な空気調和機を提供することを目的とする。
【課題を解決するための手段】
【０００６】
第１の発明にかかる空気調和機は、室内機と、室外機と、当該室内機及び当該室外機を操作するためのリモコンと、を備える空気調和機において、前記室内機と前記室外機と前記リモコンとのいずれかに設けられ、空気調和運転がなされている状態で経過した時間である運転積算時間を記憶する記憶手段と、前記記憶手段に記憶された運転積算時間に基づいて算出される製品状態値が、予め設定された設定寿命値に達すると、所定の寿命到達処理を実行する寿命到達処理実行手段と、を備え、前記記憶手段を複数有する。
【０００７】
この構成によると、運転積算時間を記憶する一の記憶手段が新しい記憶手段に交換された場合であっても、他の記憶手段にも運転積算時間が記憶されているので、空気調和機に運転積算時間のデータを残すことができる。そして、当該他の記憶手段に記憶されている運転積算時間を、交換された新しい記憶手段に記憶させることで、当該他の記憶手段が交換されても空気調和機に運転積算時間のデータを残すことができる。
従って、寿命到達処理実行手段は、空気調和機の製造時からの実際に空気調和運転がなされた時間の積算時間に基づいて算出された製品状態値に基づいて、製品寿命を判断し、適切な時期に寿命到達処理を実行することが可能である。
【０００８】
第２の発明にかかる空気調和機は、室内機と、室外機と、当該室内機及び当該室外機を操作するためのリモコンと、を備える空気調和機において、前記室内機と前記室外機と前記リモコンとのいずれかに設けられ、空気調和運転がなされている状態で経過した時間である運転積算時間に相関する値である製品状態値を記憶する記憶手段と、前記記憶手段に記憶された製品状態値が、予め設定された設定寿命値に達すると、所定の寿命到達処理を実行する寿命到達処理実行手段と、を備え、前記記憶手段を複数有する。
【０００９】
この構成によると、製品状態値を記憶する一の記憶手段が新しい記憶手段に交換された場合であっても、他の記憶手段にも製品状態値が記憶されているので、空気調和機に製品状態値のデータを残すことができる。そして、当該他の記憶手段に記憶されている製品状態値を、交換された新しい記憶手段に記憶させることで、当該他の記憶手段が交換されても空気調和機に製品状態値のデータを残すことができる。
従って、寿命到達処理実行手段は、空気調和機の製造時からの実際に空気調和運転がなされた時間の積算時間に相関する製品状態値に基づいて、製品寿命を判断し、適切な時期に寿命到達処理を実行することが可能である。
【００１０】
第３の発明にかかる空気調和機は、室内機と、室外機と、当該室内機及び当該室外機を操作するためのリモコンと、を備える空気調和機において、前記室内機と前記室外機と前記リモコンとのいずれかに設けられ、空気調和運転がなされている状態で経過した時間である運転積算時間を記憶する記憶手段と、前記記憶手段に記憶された運転積算時間が、予め設定された設定寿命時間に達すると、所定の寿命到達処理を実行する寿命到達処理実行手段と、を備え、前記記憶手段を複数有する。
【００１１】
この構成によると、運転積算時間を記憶する一の記憶手段が新しい記憶手段に交換された場合であっても、他の記憶手段にも運転積算時間が記憶されているので、空気調和機に運転積算時間のデータを残すことができる。そして、当該他の記憶手段に記憶されている運転積算時間を、交換された新しい記憶手段に記憶させることにより、当該他の記憶手段が交換されても空気調和機に運転積算時間のデータを残すことができる。
従って、寿命到達処理実行手段は、空気調和機の製造時からの実際に空気調和運転がなされた時間の積算時間に基づいて製品寿命を判断し、適切な時期に寿命到達処理を実行することが可能である。
【００１２】
第４の発明にかかる空気調和機は、第１乃至第３の発明のいずれかの発明にかかる空気調和機において、前記記憶手段は、前記室内機と前記室外機と前記リモコンとのうちの、少なくともいずれか２つにそれぞれ設けられている。
【００１３】
この構成によると、室外機、室内機、及び、リモコンのうちのいずれか一つを全て新しいものに交換する場合においても、少なくとも一つの記憶手段が交換されずに残るので、当該交換されずに残る記憶手段に記憶された運転積算時間又は製品状態値を交換後の新しい記憶手段に移行して記憶させることが可能である。
これにより、空気調和機の製造時からの実際に空気調和運転がなされた時間の積算時間又は当該積算時間に基づいて算出された製品状態値又は当該積算時間に相関する製品状態値に基づいて製品寿命を判断し、適切な時期に寿命到達処理を実行することが可能である。
【００１４】
第５の発明にかかる空気調和機は、第１乃至第４の発明のいずれかの発明にかかる空気調和機において、前記複数の記憶手段のうちの一の記憶手段が、新たな記憶手段に交換されると、他の記憶手段に記憶された運転積算時間又は製品状態値を、当該新たな記憶手段に移行して記憶させるデータ移行手段を備える。
【００１５】
この構成によると、運転積算時間又は製品状態値を記憶する一の記憶手段が新しい記憶手段に交換された場合には、データ移行手段は、他の記憶手段に記憶された運転積算時間又は製品状態値を新しい記憶手段に記憶させる。
これにより、記憶手段が交換された時に、自動的に、交換した新しい記憶手段に、空気調和機の製造時からの実際に空気調和運転がなされた時間の積算時間又は当該積算時間に基づいて算出された製品状態値又は当該積算時間に相関する製品状態値を記憶させることが可能になる。作業者等が手動で空気調和機に指令を与える必要がないため、容易にデータ移行が可能である。
【００１６】
また、適切な時期に寿命到達処理を実行する観点から、以下に、他の発明を例示する。
【００１７】
他の発明にかかる空気調和機は、据付時又は据え付けられる前の所定の時刻から経過した時間と、外部電源から通電されている状態で経過した時間と、空気調和運転がなされている状態で経過した時間と、に相関する値である製品状態値を算出する製品状態値算出手段と、前記製品状態値算出手段により算出された製品状態値が、予め設定された設定寿命値に達すると、所定の寿命到達処理を実行する寿命到達処理実行手段と、を備えている。
【００１８】
この空気調和機では、空気調和運転がなされている状態で経過した時間だけでなく、据付時又は据え付けられる前の所定の時刻から経過した時間や、外部電源から通電されている状態で経過した時間に相関する製品状態値に基づいて、製品の寿命を判断し、寿命到達処理実行手段により、所定の寿命到達処理を行うことができる。これにより、適切な時期に寿命到達処理を実行することが可能である。
【００１９】
上記他の発明にかかる空気調和機において、前記製品状態値算出手段は、据付時又は据え付けられる前の所定の時刻から経過した時間である総経過時間を計測する総経過時間計測手段と、外部電源から通電されている状態で経過した時間である通電積算時間を計測する通電積算時間計測手段と、空気調和運転がなされている状態で経過した時間である運転積算時間を計測する運転積算時間計測手段と、を備え、前記総経過時間計測手段により計測された総経過時間と、前記通電積算時間計測手段により計測された通電積算時間と、前記運転積算時間計測手段により計測された運転積算時間と、に基づいて、製品状態値を算出するものであってもよい。
【００２０】
この空気調和機では、運転積算時間計測手段により計測された運転積算時間だけでなく、総経過時間計測手段により計測された総経過時間や、通電積算時間計測手段により計測された通電積算時間に基づいて、製品の寿命を判断し、寿命到達処理実行手段により、所定の寿命到達処理が行われる。これにより、適切な時期に寿命到達処理を実行することが可能である。
【００２１】
上記他の発明にかかる空気調和機において、前記製品状態値算出手段は、総経過時間をＴ１、通電積算時間をＴ２、運転積算時間をＴ３、製品状態値をＰ、としたときに、Ａ＜Ｂ＜Ｃを満たすように予め設定された正の係数Ａ、Ｂ、Ｃを用いて、
Ｐ＝Ａ×（Ｔ１−Ｔ２）＋Ｂ×（Ｔ２−Ｔ３）＋Ｃ×Ｔ３
の式により製品状態値を算出するものであってもよい。
【００２２】
この空気調和機では、総経過時間と通電積算時間との差（即ち、通電させることなく単に保管していた時間）、通電積算時間と運転積算時間との差（即ち、空気調和運転させることなく通電されていた時間）、及び、空気調和運転がなされている状態で経過した時間である運転積算時間、に所定の係数が乗算されて、製品状態値が算出される。
この場合、製品状態値を算出するための式を複雑にすることなく、現実の製品の寿命到達度合いを示す状態値に近似した製品状態値を算出することができる。したがって、適切な時期に寿命到達処理を実行することが可能な構成を、容易に実現することができる。
【発明の効果】
【００２３】
以上の説明に述べたように、本発明によれば、以下の効果が得られる。
【００２４】
第１の発明では、空気調和機の製造時からの実際に空気調和運転がなされた時間の積算時間に基づいて算出された製品状態値に基づいて、製品寿命を判断し、適切な時期に寿命到達処理を実行することが可能である。
【００２５】
また、第２の発明では、空気調和機の製造時からの実際に空気調和運転がなされた時間の積算時間に相関する製品状態値に基づいて、製品寿命を判断し、適切な時期に寿命到達処理を実行することが可能である。
【００２６】
また、第３の発明では、空気調和機の製造時からの実際に空気調和運転がなされた時間の積算時間に基づいて製品寿命を判断し、適切な時期に寿命到達処理を実行することが可能である。
【００２７】
また、第４の発明では、室外機、室内機、及び、リモコンのうちのいずれか一つが全て新しいものに交換された場合においても、適切な時期に寿命到達処理を実行することが可能である。
【００２８】
また、第５の発明では、記憶手段が交換された時に、自動的に、交換した新しい記憶手段に、所定のデータを記憶させることが可能になる。
【発明を実施するための最良の形態】
【００２９】
以下、図面に基づいて、本発明にかかる空気調和機の実施形態について説明する。
【００３０】
［第１実施形態］
図１は、本発明の第１実施形態にかかる空気調和機の構成を示すブロック図である。図２は、本発明の第１実施形態にかかる空気調和機の制御方法を説明するためのフローチャートである。図３は、図２におけるデータ共有化工程を説明するためのフローチャートである。
【００３１】
第１実施形態にかかる空気調和機は、主として、室内の壁などに取り付けられる室内機１と、室外に設置される室外機２と、室内機１との間で信号の送受信が可能なリモコン３と、を備えている。
【００３２】
室内機１は、制御手段としてのマイクロコンピュータ１１と、データを記憶可能な記憶手段としてのメモリ１２と、室内に送風可能な室内ファン１３と、リモコン３との間で赤外線信号を送受信するための赤外線送信部１４及び赤外線受信部１５と、を主として備えている。メモリ１２、室内ファン１３、赤外線送信部１４及び赤外線受信部１５は、それぞれ、マイクロコンピュータ１１に接続されている。
【００３３】
尚、メモリ１２は、不揮発型の書込み・読出し可能なメモリであり、例えば、Ｅ２ＰＲＯＭが用いられる。
【００３４】
室外機２は、制御手段としてのマイクロコンピュータ２１と、データを記憶可能な記憶手段としてのメモリ２２と、熱媒体を圧縮するための圧縮機２３と、熱交換器に設けられる室外ファン２４と、を主として備えている。メモリ２２、圧縮機２３及び室外ファン２４は、それぞれ、マイクロコンピュータ２１に接続されている。
【００３５】
尚、メモリ２２は、室内機１のメモリ１２と同様に、不揮発型の書込み・読出し可能なメモリであり、例えば、Ｅ２ＰＲＯＭが用いられる。また、室内機１のマイクロコンピュータ１１と室外機２のマイクロコンピュータ２１とは、互いに信号を送受信可能に接続されている。
【００３６】
リモコン３は、制御手段としてのマイクロコンピュータ３１と、ユーザーが操作できるように設けられたボタン等の操作部３２と、ユーザーが視認できるように設けられた液晶ディスプレイ等の表示部３３と、室内機１との間で赤外線信号を送受信するための赤外線送信部３４及び赤外線受信部３５と、を主として備えている。操作部３２、表示部３３、赤外線送信部３４及び赤外線受信部３５は、それぞれ、マイクロコンピュータ３１に接続されている。
【００３７】
ユーザーにより操作部３２の操作が行われると、赤外線送信部３４から室内機１の赤外線受信部１５に当該操作の情報が赤外線により送信される。当該操作の情報は、室内機１の赤外線受信部１５を介してマイクロコンピュータ１１に送信され、更に当該マイクロコンピュータ１１を介して室外機２のマイクロコンピュータ２１に送信される。マイクロコンピュータ１１及びマイクロコンピュータ２１はリモコン３からの操作情報に基づいて、室内ファン１３、圧縮機２３、室外ファン２４等を制御する。このように、リモコン３を操作して空気調和機（室内機１及び室外機２）の運転モードの設定を行うことができる。
【００３８】
第１実施形態にかかる空気調和機の制御方法について説明する。
室内機１及び室外機２の双方が外部電源に接続されると、リモコン３から送信される赤外線信号を室内機１が受信可能な状態（以下、待機状態と称する）となる。この待機状態においては、室内機１のマイクロコンピュータ１１及び室外機２のマイクロコンピュータ２１は通電された状態（以下、通電状態と称する）となっており、リモコン３からの赤外線信号に基づいて、空気調和機の空気調和運転を開始させることが可能である。即ち、待機状態は、空気調和運転がなされていない通電状態を意味する。
【００３９】
ここで、空気調和運転とは、圧縮機２３を駆動させて行う冷房運転又は暖房運転、室内ファン１３を駆動させて行う送風運転等、空気調和機の機能を発揮する運転を意味する。尚、空気調和機が、室内を加湿するための加湿機能を備えている場合は、加湿運転も当該空気調和運転に含まれる。
【００４０】
以下、当該空気調和運転がなされている状態を運転状態と称して説明する。また、当該運転状態においては、リモコン３からの赤外線信号に基づいて、空気調和運転を停止し、空気調和機を待機状態に移行させることが可能である。室内機１及び室外機２の少なくともいずれか一方について、外部電源との接続を断たれると、リモコン３の操作により運転することのできない状態（非通電状態）に移行する。
【００４１】
詳細は後述するが、室内機１のメモリ１２及び室外機２のメモリ２２には、空気調和機が製造された時刻を示す製造時刻データ、製造時から経過した時間を示す総経過時間データ、通電状態で経過した時間を示す通電積算時間データ、運転状態で経過した時間を示す運転積算時間データ、当該経過時間データと通電積算時間データと運転積算時間データとから算出される値である製品状態値データ、その他空気調和機の運転に必要なデータが記憶される。製品出荷時においては、製造時刻データとして製造時の時刻が記憶され、総経過時間データ、通電積算時間データ、運転積算時間データ及び製品状態値データとしては、例えば、「０」等の初期値が記憶されている。
【００４２】
室内機１及び室外機２を外部電源に接続することにより、非通電状態から待機状態に移行すると、マイクロコンピュータ１１及びマイクロコンピュータ２１は、当該マイクロコンピュータ１１内のＲＯＭ及びマイクロコンピュータ２１内のＲＯＭに記憶されたプログラムに従って、図２のフローチャートに示す制御を実行する。尚、マイクロコンピュータ１１及びマイクロコンピュータ２１のいずれか一方のマイクロコンピュータが、当該マイクロコンピュータのＲＯＭに記憶されたプログラムに従って、他方のマイクロコンピュータに指令を与えながら、図２のフローチャートに示す制御を行ってもよい。
【００４３】
図２に示すように、非通電状態から待機状態に移行すると、まず、データ共有化工程（ステップ３００、以下Ｓ３００と称する。他のステップも同様に称する。）が実行される。図３は、当該データ共有化工程（Ｓ３００）を示すフローチャートである。
【００４４】
図３に示すように、データ共有化工程（Ｓ３００）においては、まず、室内機１のメモリ１２に記憶されている製品状態値Ｐ（室内側製品状態値ＰＩＮ）が初期値か否かが判断される（ステップ３０１、以下Ｓ３０１と称する。他のステップも同様に称する）。
室内側製品状態値ＰＩＮが初期値である場合（Ｓ３０１：ＹＥＳ）は、室外機２のメモリ２２に記憶されている製品状態値Ｐ（室外側製品状態値ＰＯＵＴ）が初期値か否かが判断される（Ｓ３０２）。
室外側製品状態値ＰＯＵＴが初期値である場合（Ｓ３０２：ＹＥＳ）、即ち、室内側製品状態値ＰＩＮ及び室外側製品状態値ＰＯＵＴの双方が初期値の場合は、特にデータ処理がなされることなく、図２のフローチャートにおけるＳ２０２に戻る。
例えば、空気調和機の据付後初めて室内機１及び室外機２に外部電源を接続した場合は、データ共有化工程において、特にデータ処理がなされることなく、Ｓ２０１に戻ることになる。
【００４５】
一方、室外側製品状態値ＰＯＵＴが初期値ではない場合（Ｓ３０２：ＮＯ）、即ち、室内側製品状態値ＰＩＮが初期値であり、室外側製品状態値ＰＯＵＴが初期値ではない場合は、室外機２のメモリ２２内の製造時刻データ、通電積算時間データ、運転積算時間データを室内機１のメモリ１２に移行して上書きする。その後、図２のフローチャートにおけるＳ２０１に戻る。
【００４６】
また、室内側製品状態値ＰＩＮが初期値ではない場合（Ｓ３０１：ＮＯ）も、同様に、室外側製品状態値ＰＯＵＴが初期値か否かが判断される（Ｓ３０４）。
【００４７】
室外側製品状態値ＰＯＵＴが初期値である場合（Ｓ３０４：ＹＥＳ）、即ち、室内側製品状態値ＰＩＮが初期値ではなく、室外側製品状態値ＰＯＵＴが初期値である場合は、室内機１のメモリ１２内の製造時刻データ、通電積算時間データ、運転積算時間データを室外機２のメモリ２２に移行して上書きする。その後、図２のフローチャートにおけるＳ２０１に戻る。
【００４８】
一方、室外側製品状態値ＰＯＵＴが初期値ではない場合（Ｓ３０４：ＮＯ）、即ち、室内側製品状態値ＰＩＮ及び室外側製品状態値ＰＯＵＴの双方が初期値ではない場合は、特にデータ処理がなされることなく、図２のフローチャートにおけるＳ２０１に戻る。
【００４９】
図２に示すように、データ共有化工程Ｓ３００が終了すると、総経過時間Ｔ１が算出されて、メモリ１２及びメモリ２２の双方に記憶される（Ｓ２０１）。
総経過時間Ｔ１は、メモリ１２及びメモリ２２に記憶された製造時刻と、算出するときの時刻との差として算出される。算出された総経過時間Ｔ１は、メモリ１２及びメモリ２２に記憶されている総経過時間データに上書きされる。
【００５０】
マイクロコンピュータ１１は、電波時計としての機能を有し、算出するときの時刻を外部から取得可能に構成され、外部から取得した時刻に基づいて、総経過時間Ｔ１を算出することができる。尚、空気調和機が時計機能を有している場合は、ユーザー等が入力して設定した時計機能が示す時刻に基づいて、総経過時間Ｔ１を算出してもよい。
【００５１】
次に、通電積算時間Ｔ２が算出されて、メモリ１２及びメモリ２２の双方に記憶される（Ｓ２０２）。
通電積算時間Ｔ２は、メモリ１２及びメモリ２２に記憶された通電積算時間Ｔ２’（Ｔ２を算出するためのデータとしての通電積算時間）に、所定の測定単位時間ΔＴを加算した時間として算出される。算出された通電積算時間Ｔ２は、メモリ１２及びメモリ２２に記憶されている通電積算時間データに上書きされる。
【００５２】
次に、空気調和機が運転状態か否かが判断される（Ｓ２０３）。
運転状態である場合は（Ｓ２０３：ＹＥＳ）、運転積算時間Ｔ３が算出されて、メモリ１２及びメモリ２２の双方に記憶される。
運転積算時間Ｔ３は、メモリ１２及びメモリ２２に記憶された運転積算時間Ｔ３’（Ｔ３を算出するためのデータとしての運転積算時間）に、所定の測定単位時間ΔＴを加算した時間として、算出される。算出された運転積算時間Ｔ３は、メモリ１２及びメモリ２２に記憶されている運転積算時間データに上書きされる。
【００５３】
尚、上記の測定単位時間ΔＴは、当該所定の積算時間算出ステップ（Ｓ２０２、Ｓ２０３）から、後述する製品状態値の大小を判断するステップ（Ｓ２０６、Ｓ２０８）を介して再度当該所定の積算時間算出ステップに到達するまでに経過する時間となるように設定される。これにより、当該所定の積算時間算出ステップ（Ｓ２０２、Ｓ２０３）を通過する毎に、メモリ１２及びメモリ２２に記憶されている積算時間に当該測定単位時間ΔＴが加算され、通電状態及び運転状態で経過した時間をメモリ１２及びメモリ２２に確実に記憶させることができる。本実施形態においては、再度積算時間算出ステップに到達するまでのループに、所定時間が経過するまで処理を停止するステップ（Ｓ２１０）が設けられ、当該ステップ（Ｓ２１０）における停止時間を適宜設定することで測定単位時間ΔＴを、所望の時間（例えば、１分、３０秒等）に設定可能である。
【００５４】
一方、運転状態ではない場合は（Ｓ２０３：ＮＯ）、運転積算時間Ｔ３の算出は行わず、次工程（Ｓ２０５）に進む。
【００５５】
次に、製品状態値Ｐが算出されて、メモリ１２及びメモリ２２の双方に記憶される（Ｓ２０５）。
製品状態値Ｐは、メモリ１２及びメモリ２２に記憶された総経過時間Ｔ１のデータと、通電積算時間Ｔ２のデータと、運転積算時間Ｔ３のデータと、に基づいて、以下の数１に示す式により算出される。尚、数１において、Ｐは製品状態値、Ｔ１は総経過時間、Ｔ２は通電積算時間、Ｔ３は運転積算時間を示している。また、Ａ＝０．１５、Ｂ＝０．３、Ｃ＝１．０である。
【数１】
2009275943.tif 000003
【００５６】
算出された製品状態値Ｐは、メモリ１２及びメモリ２２に記憶されている製品状態値データ（室内側製品状態値ＰＩＮ、室外側製品状態値ＰＯＵＴ）に上書きされる。
【００５７】
当該製品状態値Ｐは、製造時から時間が経過するにつれて増加する値として算出される。そして、当該製品状態値Ｐは、非通電状態で経過した積算時間が増加するよりも、待機状態で経過した積算時間が増加する方が、値の増加量が大きくなるように算出されるとともに、待機状態で経過した積算時間が増加するよりも、運転状態で経過した積算時間が増加する方が、値の増加量が大きくなるように算出される。即ち、製品状態値Ｐは、空気調和機の劣化が進むほど、大きくなるような値として算出される。
【００５８】
次に、メモリ１２に記憶された製品状態値Ｐが、予め設定された第１設定寿命値Ｊ１以上であるか否かが判断される（Ｓ２０６）。尚、メモリ２２に記憶された製品状態値Ｐを第１設定寿命値Ｊ１と比較する構成であってもよい。また、当該第１設定寿命値Ｊ１は、例えば、予めメモリ１２及びメモリ２２に記憶されたものでもよいし、マイクロコンピュータ１１及びマイクロコンピュータ２１のＲＯＭに記憶されたものでもよい。
【００５９】
メモリ１２に記憶された製品状態値Ｐが、予め設定された第１設定寿命値Ｊ１以上である場合は（Ｓ２０６：ＹＥＳ）、空気調和機が寿命に達したと判断して、マイクロコンピュータ１１及びマイクロコンピュータ２１は、リモコン３の表示部３３に寿命到達を示す表示をさせた後、空気調和機のシステム全体を停止させる処理、即ち、マイクロコンピュータ１１及びマイクロコンピュータ２１の作動を停止させる処理（第１処理、寿命到達処理）を実行する（Ｓ２０７）。これにより、リモコン３による空気調和機（室内機１及び室外機２）の操作は不能となる。
【００６０】
一方、メモリ１２に記憶された製品状態値Ｐが、予め設定された第１設定寿命値Ｊ１よりも小さい場合は（Ｓ２０６：ＮＯ）、当該製品状態値Ｐが、予め設定された第２設定寿命値Ｊ２以上であるか否かが判断される（Ｓ２０８）。当該第２設定寿命値Ｊ２は、第１設定寿命値Ｊ１よりも小さな値となるように設定される。例えば、第１設定寿命値Ｊ１の８０％の値として設定される。尚、メモリ２２に記憶された製品状態値Ｐを第２設定寿命値Ｊ２と比較する構成であってもよい。また、当該第２設定寿命値Ｊ２は、第１設定寿命値Ｊ１と同様に、例えば、予めメモリ１２及びメモリ２２に記憶されたものでもよいし、マイクロコンピュータ１１及びマイクロコンピュータ２１のＲＯＭに記憶されたものでもよい。
【００６１】
メモリ１２に記憶された製品状態値Ｐが、予め設定された第２設定寿命値Ｊ２以上である場合は（Ｓ２０８：ＹＥＳ）、マイクロコンピュータ１１及びマイクロコンピュータ２１は、リモコン３の表示部３３に延命運転を行う旨を表示をさせた後、空気調和機の運転を延命運転に切り換える処理（第２処理、寿命到達処理）を実行する（Ｓ２０９）。
【００６２】
当該延命運転とは、通常運転時よりも機器の出力を低下させる運転であり、例えば、室内ファン１３、圧縮機２３、室外ファン２４等の機器の出力を５０％にする運転である。具体的には、通常運転に比べ、機器の運転電流を低下させた運転、機器の運転周波数を低下させた運転、電気部品の温度上昇を低下させるような運転等である。
【００６３】
尚、当該延命運転がなされた状態においては、例えば、第１設定寿命値Ｊ１よりも大きい値の延命寿命値に基づいてステップ（Ｓ２０６）の判断がなされるように構成してもよい。当該延命寿命値は、適切な時期に第１処理を行うため、延命運転時における機器の出力の低下割合が大きいほど、より大きな値となるように設定することができる。
また、延命寿命値を用いる場合に限らず、延命運転を行っている場合は、数１に示す式の係数Ｃをより小さい数値に変更して製品状態値Ｐを算出するように構成してもよい。
【００６４】
一方、メモリ１２に記憶された製品状態値Ｐが、予め設定された第２設定寿命値Ｊ２よりも小さい場合は（Ｓ２０８：ＮＯ）、マイクロコンピュータ１１及びマイクロコンピュータ２１は、所定時間の経過を待ち（Ｓ２１０）、その後、再度、総経過時間算出のステップ（Ｓ２０１）に戻る。
【００６５】
総経過時間算出のステップ（Ｓ２０１）にて総経過時間Ｔ１を算出し、メモリ１２及びメモリ２２に上書きして記憶させた後、再度通電積算時間算出ステップ（Ｓ２０２）に移行する。当該再度の通電積算時間算出ステップ（Ｓ２０２）においては、前回の通電積算時間算出ステップで算出されてメモリ１２及びメモリ２２に記憶されている通電積算時間Ｔ２’に、当該通電積算時間Ｔ２’の算出後当該再度の通電積算時間算出ステップに到達するまでの時間（測定単位時間ΔＴ）を加算した時間が、新たな通電積算時間Ｔ２として算出されることになる。そして、当該新たな通電積算時間Ｔ２がメモリ１２及びメモリ２２に上書きされることになる。運転状態であれば、運転積算時間算出ステップ（Ｓ２０４）においても同様に、メモリ１２及びメモリ２２に記憶された運転積算時間Ｔ３’に測定単位時間ΔＴが加算されて新たな運転積算時間Ｔ３が算出されることになる。
【００６６】
以降、製品状態値Ｐが第１設定寿命値Ｊ１以上になるまで、又は、室内機１及び室外機２の少なくともいずれか一方が外部電源との接続を断たれるまで（即ち、非通電状態となるまで）、上述したように、図２に示すフローチャートに基づいての空気調和機の制御が行われる。
【００６７】
以上、説明したように、第１実施形態にかかる空気調和機は、マイクロコンピュータ１１、マイクロコンピュータ２１及びメモリ１２により、製造時から経過した時間である総経過時間Ｔ１を計測し、外部電源から通電されている状態で経過した時間である通電積算時間Ｔ２を計測し、空気調和運転がなされている状態で経過した時間である運転積算時間Ｔ３を計測し、計測された総経過時間Ｔ１と通電積算時間Ｔ２と運転積算時間Ｔ３と、に基づいて製品状態値Ｐを算出する。これにより、製造時から経過した時間と、外部電源から通電されている状態で経過した時間と、空気調和運転がなされている状態で経過した時間と、に相関する値である製品状態値Ｐが算出される。マイクロコンピュータ１１及びマイクロコンピュータ２１は、算出された製品状態値Ｐが、予め設定された第２設定寿命値Ｊ２に達すると、延命運転を実行し、また、算出された製品状態値Ｐが、予め設定された第１設定寿命値Ｊ１に達すると、空気調和機のシステム停止処理を実行する。
【００６８】
この空気調和機では、空気調和運転がなされている状態で経過した運転積算時間Ｔ３だけでなく、製造時から経過した時間である総経過時間Ｔ１や、外部電源からマイクロコンピュータ１１及びマイクロコンピュータ２１に通電されている状態で経過した時間である通電積算時間Ｔ２に基づいて、製品の寿命を判断し、延命運転や、空気調和機のシステム停止処理が行われる。これにより、適切な時期に延命運転、及び、空気調和機のシステム停止処理を実行することが可能であり、システムを確実に保護することができる。
【００６９】
尚、総経過時間Ｔ１が製造時刻に基づいて算出される構成について説明したが、この場合に限らない。例えば、空気調和機を据え付ける際に、作業者が据付時刻を入力し、当該据付時刻に基づいて当該据付時刻から経過した時間として総経過時間Ｔ１が算出される構成としてもよい。
【００７０】
また、第１実施形態にかかる空気調和機は、Ａ＜Ｂ＜Ｃを満たすように予め設定された正の係数Ａ（＝０．１５）、Ｂ（＝０．３）、Ｃ（＝１．０）を用いて、数１に示す式に基づいて、製品状態値を算出する。
【００７１】
この空気調和機では、総経過時間Ｔ１と通電積算時間Ｔ２との差（即ち、通電させることなく単に保管していた時間）、通電積算時間Ｔ２と運転積算時間Ｔ３との差（即ち、待機状態で経過した時間）、及び、空気調和運転がなされている状態で経過した時間である運転積算時間Ｔ３、に所定の係数が乗算されて、製品状態値Ｐが算出される。
この場合、製品状態値Ｐを算出するための式を複雑にすることなく、現実の製品の寿命到達度合いを示す状態値に近似した製品状態値Ｐを算出することができる。したがって、適切な時期に延命運転、及び、空気調和機のシステム停止処理を実行することが可能な構成を、容易に実現することができる。
【００７２】
尚、上記係数Ａ、Ｂ、Ｃは、例えば、以下のようにして設定することができる。
予め実験等により、非通電状態でＸ年経過したら寿命に達すること、待機状態でＹ年経過したら寿命に達すること、及び、運転状態でＺ年経過したら寿命に達することが分かっている場合、係数Ａ＝Ｚ／Ｘ、Ｂ＝Ｚ／Ｙ、Ｃ＝１．０となるように設定することができる。この場合、上記第１設定寿命値Ｊ１の値は、運転状態での寿命到達時間であるＺとして設定する。
【００７３】
また、第１実施形態にかかる空気調和機は、室内機１と、室外機２と、当該室内機１及び当該室外機２を操作するためのリモコン３と、を備える。そして、前記室内機１と前記室外機２とにそれぞれ設けられ、空気調和運転がなされている状態で経過した時間である運転積算時間Ｔ３を記憶するメモリ１２及びメモリ２２を備える。そして、マイクロコンピュータ１１及びマイクロコンピュータ２１は、メモリ１２に記憶された運転積算時間Ｔ３に基づいて算出される製品状態値Ｐが、予め設定された第２設定寿命値Ｊ２に達すると、延命運転を実行し、また、算出された製品状態値Ｐが、予め設定された第１設定寿命値Ｊ１に達すると、空気調和機のシステム停止処理を実行する。
【００７４】
この構成によると、運転積算時間Ｔ３を記憶する室内機１のメモリ１２が新しいメモリに交換された場合であっても、室外機２のメモリ２２にも運転積算時間Ｔ３を含むデータが記憶されているので、空気調和機に運転積算時間Ｔ３を含むデータを残すことができる。そして、室外機２のメモリ２２に記憶されている運転積算時間Ｔ３を含むデータを、室内機１の交換された新しいメモリに記憶させることができる。また、室外機２のメモリ２２が交換されても、同様に室内機１のメモリのデータを室外機２のメモリに移行させることができる。従って、マイクロコンピュータ１１及びマイクロコンピュータ２１は、空気調和機の製造時からの実際に空気調和運転がなされた時間の積算時間に基づいて算出された製品状態値Ｐに基づいて、製品寿命を判断し、適切な時期に延命運転、及び、空気調和機のシステム停止処理を実行することが可能であり、システムを確実に保護することができる。
【００７５】
また、第１実施形態にかかる空気調和機は、メモリ１２とメモリ２２とは、室内機１と室外機２とにそれぞれ設けられている。
【００７６】
この構成によると、室内機１及び室外機２のいずれか一つを全て新しいものに交換する場合においても、メモリ１２及びメモリ２２の少なくとも一つが交換されずに残るので、当該交換されずに残るメモリに記憶された運転積算時間Ｔ３を含むデータを交換後の新しいメモリに移行して記憶させることが可能である。
これにより、空気調和機の製造時からの実際に空気調和運転がなされた時間の積算時間に基づいて算出された製品状態値Ｐに基づいて製品寿命を判断し、適切な時期に寿命到達処理を実行することが可能である。
【００７７】
また、第１実施形態にかかる空気調和機は、マイクロコンピュータ１１及びマイクロコンピュータ２１により行われるデータ共有化工程（Ｓ３００）により、メモリ１２又はメモリ２２のいずれか一方のメモリが、新たなメモリに交換されている場合は、他のメモリに記憶された運転積算時間Ｔ３を含むデータを、当該新たなメモリに移行して記憶させることができる。
【００７８】
即ち、製造時から少なくとも１回以上外部電源からの電力供給により、通電状態となっている空気調和機において、その後、室内機１のメモリ１２が新たなメモリに交換された場合は、室内側製品状態値ＰＩＮが初期値であり、且つ、室外側製品状態値ＰＯＵＴが初期値ではなくなる。そのため、メモリの交換後に、室内機１及び室外機２を外部電源に接続すると、データ共有化工程（Ｓ３００）にて、室外機２のメモリ２２から、交換された新しい室内機１のメモリに運転積算時間Ｔ３を含むデータが移行される（Ｓ３０３）。また、室外機２のメモリ２２が新たなメモリに交換された場合は、室内側製品状態値ＰＩＮが初期値ではなく、且つ、室外側製品状態値ＰＯＵＴが初期値となる。そのため、メモリの交換後に、室内機１及び室外機２を外部電源に接続すると、データ共有化工程（Ｓ３００）にて、室内機１のメモリ１２から、交換された新しい室外機２のメモリに運転積算時間Ｔ３を含むデータが移行される（Ｓ３０５）。
【００７９】
これにより、メモリ１２又はメモリ２２が交換された時に、自動的に、交換した新しいメモリに、空気調和機の製造時からの実際に空気調和運転がなされた時間の積算時間である運転積算時間Ｔ３を含むデータを記憶させることが可能になる。作業者等が手動で空気調和機に指令を与える必要がないため、容易にデータ移行が可能である。
【００８０】
本実施形態においては、メモリ交換後に製品寿命を判断するために必要なデータである製造時刻、通電積算時間Ｔ２及び運転積算時間Ｔ３のデータが、交換した新しいメモリに移行される。即ち、移行された製造時刻のデータに基づき算出した総経過時間Ｔ１と、移行された通電積算時間Ｔ２及び運転積算時間Ｔ３と、に基づいて製品状態値Ｐを算出して、製品寿命を判断することができる。尚、メモリに記憶されている全てのデータを他のメモリに移行させる構成とすることもできる。
【００８１】
また、データ共有化工程（Ｓ３００）は、図４のフローチャートに示す構成としてもよい。図４に示すように、当該データ共有化工程においては、まず、室内機１のメモリ１２に記憶される製品状態値Ｐである室内側製品状態値ＰＩＮが、室外機２のメモリ２２に記憶される製品状態値Ｐである室外側製品状態値ＰＯＵＴ以上であるか否かが判断される（Ｓ３１１）。
【００８２】
室内側製品状態値ＰＩＮが、室外側製品状態値ＰＯＵＴ以上である場合は、室外機２のメモリ２２内のデータを室内機１のメモリ１２に移行して上書きする（Ｓ３１２）。
一方、室内側製品状態値ＰＩＮが、室外側製品状態値ＰＯＵＴよりも小さい場合は、室内機１のメモリ１２内のデータを室外機２のメモリ２２に移行して上書きする（Ｓ３１３）。
【００８３】
このような構成によっても、室内機１のメモリ１２と室外機２のメモリ２２との間で製品寿命を判断するためのデータの共有化を図ることが可能である。
【００８４】
尚、第１実施形態にかかる空気調和機においては、寿命到達処理として空気調和機のシステムを停止する処理を実行しているが、この場合に限らない。例えば、図５に示すように、室内機１に外部電源４０から電力を供給する回路４０ａと回路４０ｂとを、マイクロコンピュータ１１からの信号によって電気的に接続することが可能なスイッチ４１を設け、当該スイッチ４１よりも外部電源４０側にヒューズ４２を電気的に直列に設ける。そして、製品状態値Ｐが第１設定寿命値Ｊ１よりも小さいときは、スイッチ４１は回路４０ａと回路４０ｂとを短絡しない状態で保持され、製品状態値Ｐが第１設定寿命値Ｊ１以上になると、マイクロコンピュータ１１により当該スイッチ４１を切り換えて回路４０ａと回路４０ｂとを短絡させ、ヒューズ４２に定格電流よりも大きい電流を流して、当該ヒューズ４２を破壊するように構成してもよい。
【００８５】
このように、製品状態値算出手段により算出された製品状態値が、予め設定された設定寿命値に達すると、空気調和機の空気調和運転を停止する寿命到達処理実行手段を備え、当該寿命到達手段は、空気調和機の運転を制御するマイクロコンピュータに電力を供給する回路の一部を破壊して当該回路を遮断することにより空気調和機の空気調和運転を停止する構成としてもよい。
【００８６】
この構成によると、製品寿命到達により停止した空気調和機を再起動するためには破壊された部品の交換等が必要になる。そのため、ユーザーが製品寿命到達により停止した空気調和機を再起動して製品寿命到達後も使用を続けることで不具合が発生することを確実に防止できる。
【００８７】
（寿命表示機能）
また、第１実施形態にかかる空気調和機は、寿命表示機能を有している。以下、当該寿命表示機能について説明する。
【００８８】
第１実施形態にかかる空気調和機のリモコン３の操作部３２は、寿命表示ボタンを備えている。
当該寿命表示ボタンが押されると、その情報が室内機１に赤外線送信される。当該信号を受信したマイクロコンピュータ１１は、メモリ１２に記憶された製品状態値Ｐ及び第１設定寿命値Ｊ１に基づいて、使用経過時間Ｔ４及び使用可能時間Ｔ５を算出する。
【００８９】
例えば、使用経過時間Ｔ４及び使用可能時間Ｔ５は、製品状態値Ｐ、当該製品状態値Ｐを算出するときに用いた係数Ｃ、第１設定寿命値Ｊ１を用いて、数２の式に基づいて算出される。尚、空気調和機の運転が延命運転である場合に、第１設定寿命値Ｊ１の変わりに延命寿命値を用いる構成においては、当該延命寿命値を用いて使用可能時間Ｔ５を算出することができる。
【数２】
2009275943.tif 000004
【００９０】
そして、マイクロコンピュータ１１により算出された使用経過時間Ｔ４及び使用可能時間Ｔ５が、リモコン３に赤外線送信され、リモコン３の表示部３３に、当該使用経過時間Ｔ４及び当該使用可能時間Ｔ５の情報が表示される。当該表示の例を図６に示す。
【００９１】
図６に示すように、リモコン３の表示部３３には、当該使用経過時間Ｔ４及び当該使用可能時間Ｔ５が円グラフにより表示されるとともに、当該使用経過時間Ｔ４及び当該使用可能時間Ｔ５の値（時間）、及び、当該使用経過時間Ｔ４及び当該使用可能時間Ｔ５の割合（製造時における使用可能時間（使用経過時間Ｔ４と使用可能時間Ｔ５との和）に対する割合（％））等が表示される。
【００９２】
このように、ユーザーは、リモコン３の操作部３２を操作することにより、当該操作の時点までに、空気調和機がどの程度使用されているかを示す情報を確認することができる。また、同時に、その後、製品寿命に到達するまでに、どの程度使用できるかを示す情報を確認することができる。
【００９３】
尚、図６に示すように、円グラフにより使用経過時間Ｔ４及び使用可能時間Ｔ５が表示される場合に限らず、棒グラフにより表示される構成、又は、単に数値のみ表示する構成等、様々に変更して表示してもよい。
【００９４】
また、第１設定寿命値Ｊ１に基づいて算出される使用可能時間Ｔ５、即ち、空気調和機の運転を停止させる処理が実行されるまでの時間に相関する使用可能時間を表示するだけでなく、併せて、第２設定寿命値Ｊ２に基づいて算出される使用可能時間、即ち、空気調和機の延命運転を開始させる処理が実行されるまでの時間に相関する使用可能時間を表示させてもよい。
【００９５】
（延命運転の手動切替機能）
また、第１実施形態にかかる空気調和機は、延命運転の手動切替機能を有している。以下、当該延命運転の手動切替機能について説明する。
【００９６】
第１実施形態にかかる空気調和機のリモコン３の操作部３２は、延命運転ボタン及び通常運転ボタンを備えている。
当該延命運転ボタンが押されると、その情報が室内機１に赤外線送信される。当該信号を受信したマイクロコンピュータ１１及びマイクロコンピュータ２１は、当該信号の受信時において空気調和機が通常の運転を行っている場合は、室内ファン１３、圧縮機２３、室外ファン２４等に信号を送り、延命運転に切り替える。一方、空気調和機の延命運転がなされている状態で、リモコン３の通常運転ボタンが押されると、マイクロコンピュータ１１及びマイクロコンピュータ２１は、室内ファン１３、圧縮機２３、室外ファン２４等に信号を送り、通常運転に切り替える。
【００９７】
尚、複数の延命運転モードを備える構成としてもよい。例えば、２つの延命運転モードを備え、延命運転ボタンを押す毎にモードが切り替わるように構成することができる。そして、第１の延命運転モードにおいては、室内ファン１３、圧縮機２３、室外ファン２４等の機器の出力を５０％にする運転とし、第２の延命運転モードにおいては、当該機器の出力を、第１延命運転モードにおける出力よりも小さい、例えば２５％にする運転とすることもできる。
【００９８】
［第２実施形態］
次に、本発明の第２実施形態にかかる空気調和機について説明する。
図７は、本発明の第２実施形態にかかる空気調和機の制御方法を説明するためのフローチャートである。尚、空気調和機の全体構成は図１に示す構成と同様である。同一の構成部分には同一符号を付し説明を省略する。
【００９９】
第２実施形態にかかる空気調和機においては、室内機１及び室外機２を外部電源に接続することにより、非通電状態から待機状態に移行すると、マイクロコンピュータ１１及びマイクロコンピュータ２１は、当該マイクロコンピュータ１１内のＲＯＭ及びマイクロコンピュータ２１内のＲＯＭに記憶されたプログラムに従って、図７のフローチャートに示す制御を実行する。
【０１００】
図７に示すように、非通電状態から待機状態に移行したとき、まず、データ共有化工程（Ｓ３００、図３参照）が実行される。当該データ共有化工程については、第１実施形態と同様であるため説明を省略する。尚、第１実施形態と同様に、図４に示すデータ共有化工程に変更して実施してもよい。
【０１０１】
データ共有化工程（Ｓ３００）が終了すると、前回通電終了時から今回外部電源に接続するまでに経過した時間（総経過時間増加量ΔＴ１）に基づく製品状態値の増加量（製品状態値増加量ΔＰ１）が算出される（Ｓ４０１）。そして、当該製品状態値増加量ΔＰ１を、メモリ１２及びメモリ２２に記憶されている製品状態値Ｐ’に加算した値が、新たな製品状態値Ｐとして当該メモリ１２及び当該メモリ２２に上書きされる（Ｓ４０１）。
【０１０２】
総経過時間増加量ΔＴ１は、前回通電終了時の時刻をメモリ１２及びメモリ２２に記憶させておき、当該通電終了時の時刻と、現在（算出するとき）の時刻との差として算出される。尚、製造後初めて外部電源に接続した場合は、予め記憶されている製造時刻と、現在（算出するとき）の時刻との差として算出される。そして、算出された総経過時間増加量ΔＴ１に基づいて、製品状態値増加量ΔＰ１が算出される。
【０１０３】
当該製品状態値増加量ΔＰ１は、以下の数３に示す式により算出される。尚、数３において、ΔＰ１は製品状態値増加量、ΔＴ１は総経過時間増加量を示している。また、Ａ＝０．１５である。尚、係数Ａは、第１実施形態における係数Ａと同様に設定したものである。
【数３】
2009275943.tif 000005
【０１０４】
次に、空気調和機が運転状態か否かが判断される（Ｓ４０２）。
運転状態である場合（Ｓ４０２：ＹＥＳ）は、運転状態での時間経過による製品状態値増加量ΔＰ３が算出される（Ｓ４０３）。そして、当該製品状態値増加量ΔＰ３をメモリ１２及びメモリ２２に記憶されている製品状態値Ｐ’に加算した値が、新たな製品状態値Ｐとして当該メモリ１２及び当該メモリ２２に上書きされる（Ｓ４０３）。
【０１０５】
当該製品状態値増加量ΔＰ３は、以下の数４に示す式により算出される。尚、数４において、ΔＰ３は製品状態値増加量、ΔＴは測定単位時間を示している。また、Ｃ＝１．０である。尚、係数Ｃ及び測定単位時間ΔＴは、第１実施形態の係数Ｃ及び測定単位時間ΔＴと同様に設定したものである。
【数４】
2009275943.tif 000006
【０１０６】
一方、運転状態ではない場合（Ｓ４０２：ＮＯ）、即ち、待機状態である場合は、待機状態での時間経過による製品状態値増加量ΔＰ２が算出される。そして、当該製品状態値増加量ΔＰ２をメモリ１２及びメモリ２２に記憶されている製品状態値Ｐ’に加算した値が、新たな製品状態値Ｐとして当該メモリ１２及び当該メモリ２２に上書きされる。
【０１０７】
当該製品状態値増加量ΔＰ２は、以下の数５に示す式により算出される。尚、数５において、ΔＰ２は製品状態値増加量、ΔＴは測定単位時間を示している。また、Ｂ＝０．３である。尚、係数Ｂ及び測定単位時間ΔＴは、第１実施形態の係数Ｂ及び測定単位時間ΔＴと同様に設定したものである。
【数５】
2009275943.tif 000007
【０１０８】
その後のステップ（Ｓ４０５〜Ｓ４０９）は、第１実施形態における図２のステップ（Ｓ２０６〜Ｓ２１０）と、それぞれ同様である。
【０１０９】
従って、製品状態値Ｐが、第１設定寿命値Ｊ１よりも小さい場合は（Ｓ４０５：ＮＯ）、マイクロコンピュータ１１及びマイクロコンピュータ２１は、所定時間の経過を待ち（Ｓ４０９）、その後、再度、運転状態か否かを判断するステップ（Ｓ４０２）に戻る。
【０１１０】
以降、製品状態値Ｐが第１設定寿命値Ｊ１以上になるまで、又は、室内機１及び室外機２の少なくともいずれか一方が外部電源との接続を断たれるまで（即ち、非通電状態となるまで）、上述したように、図７に示すフローチャートに基づいての空気調和機の制御が行われる。
【０１１１】
以上説明したように、第２実施形態にかかる空気調和機は、マイクロコンピュータ１１、マイクロコンピュータ２１及びメモリ１２により、前回通電終了時（製造後初めて通電する際は製造時）から経過した時間である総経過時間増加量ΔＴ１に基づく製品状態値増加量ΔＰ１を計測し、待機状態で経過した時間に基づく製品状態値増加量ΔＰ２を計測し、空気調和運転がなされている状態で経過した時間に基づく製品状態値増加量ΔＰ３である運転積算時間Ｔ３を計測する。そして、計測された製品状態値増加量ΔＰ１、ΔＰ２、ΔＰ３に基づいて製品状態値Ｐを算出する。これにより、製造時から経過した時間と、外部電源から通電されている状態で経過した時間と、空気調和運転がなされている状態で経過した時間と、に相関する値である製品状態値Ｐが算出される。即ち、製造時から経過した時間が増加するほど、また、外部電源から通電されている状態で経過した時間が増加するほど、また、空気調和運転がなされている状態で経過した時間が増加するほど、大きい値となるように製品状態値Ｐが算出される。マイクロコンピュータ１１及びマイクロコンピュータ２１は、算出された製品状態値Ｐが、予め設定された第２設定寿命値Ｊ２に達すると、延命運転を実行し、また、算出された製品状態値Ｐが、予め設定された第１設定寿命値Ｊ１に達すると、空気調和機のシステム停止処理を実行する。
【０１１２】
この空気調和機では、空気調和運転がなされている状態で経過した時間だけでなく、製造時から経過した時間や、外部電源から通電されている状態で経過した時間を考慮して、製品の寿命を判断し、所定の寿命到達処理を行うことができる。これにより、適切な時期に寿命到達処理を実行することが可能である。
【０１１３】
また、第２実施形態にかかる空気調和機は、室内機１と、室外機２と、当該室内機１及び当該室外機２を操作するためのリモコン３と、を備える。そして、前記室内機１と前記室外機２とに設けられ、空気調和運転がなされている状態で経過した時間である運転積算時間に相関する値である製品状態値Ｐを記憶するメモリ１２及びメモリ２２を備える。そして、マイクロコンピュータ１１及びマイクロコンピュータ２１は、メモリ１２及びメモリ２２に記憶された製品状態値Ｐが、予め設定された第２設定寿命値Ｊ２に達すると、延命運転を実行し、また、算出された製品状態値Ｐが、予め設定された第１設定寿命値Ｊ１に達すると、空気調和機のシステム停止処理を実行する。
【０１１４】
この構成によると、製品状態値Ｐを記憶する室内機１のメモリ１２が新しいメモリに交換された場合であっても、室外機２のメモリ２２にも製品状態値Ｐを含むデータが記憶されているので、空気調和機に製品状態値Ｐを含むデータを残すことができる。そして、室外機２のメモリ２２に記憶されている製品状態値Ｐを含むデータを、室内機１の交換された新しいメモリに記憶させることができる。また、室外機２のメモリ２２が交換されても、同様に室内機１のメモリのデータを室外機２のメモリに移行させることができる。
従って、マイクロコンピュータ１１及びマイクロコンピュータ２１は、空気調和機の製造時からの実際に空気調和運転がなされた時間の積算時間に相関する製品状態値Ｐに基づいて、製品寿命を判断し、適切な時期に寿命到達処理を実行することが可能である。
【０１１５】
第２実施形態にかかる空気調和機においては、メモリ１２及びメモリ２２に記憶されるデータで、メモリ交換後に製品寿命を判断するために必要なデータは、通電終了の時刻を示すデータ及び製品状態値データのみとなる。即ち、移行された通電終了の時刻を示すデータに基づき総経過時間増加量ΔＴ１を算出できるため、前回通電終了時から再度外部電源に接続するまでに経過した時間に基づく製品状態値増加量ΔＰ１を算出することができる。運転状態での時間経過による製品状態値増加量ΔＰ３、及び、待機状態での時間経過による製品状態値増加量ΔＰ２は、移行されるデータがなくても、再度外部電源に接続したときに算出可能である。従って、移行された製品状態値データに製品状態値増加量ΔＰ１、ΔＰ２、ΔＰ３を加算して、適切な製品状態値Ｐを算出することができる。従って、第２実施形態におけるデータ共有化工程においては、通電終了時刻データ及び製品状態値データのデータ移行を行えばよい。尚、メモリに記憶されている全てのデータを他のメモリに移行させる構成とすることもできる。
【０１１６】
［第３実施形態］
次に、本発明の第３実施形態にかかる空気調和機について説明する。
図８は、本発明の第３実施形態にかかる空気調和機の制御方法を説明するためのフローチャートである。尚、空気調和機の全体構成は図１に示す構成と同様である。同一の構成部分には同一符号を付し説明を省略する。
【０１１７】
室内機１及び室外機２を外部電源に接続することにより、非通電状態から待機状態に移行すると、マイクロコンピュータ１１及びマイクロコンピュータ２１は、当該マイクロコンピュータ１１内のＲＯＭ及びマイクロコンピュータ２１内のＲＯＭに記憶されたプログラムに従って、図８のフローチャートに示す制御を実行する。
【０１１８】
図８に示すように、非通電状態から待機状態に移行したとき、まず、データ共有化工程（Ｓ６００、図９参照）が実行される。図９に示すように、当該データ共有化工程（Ｓ６００）は、第１実施形態（Ｓ３００、図３参照）において初期値か否かを比較する対象が製品状態値Ｐから運転積算時間Ｔ３に変更されている点で第１実施形態とは異なっている。その他の制御方法については同様であり、各ステップ（Ｓ６０１〜Ｓ６０５）は第１実施形態における各ステップ（Ｓ３０１〜Ｓ３０５）にそれぞれ対応するため説明を省略する。尚、図４に示すデータ共有化工程における比較対象を製品状態値Ｐから運転積算時間Ｔ３に変更したデータ共有化工程を実行させてもよい。
【０１１９】
データ共有化工程Ｓ６００が終了すると、空気調和機が運転状態か否かが判断される（Ｓ５０１）。
運転状態である場合は（Ｓ５０１：ＹＥＳ）、運転積算時間Ｔ３が算出されて、メモリ１２及びメモリ２２の双方に記憶される。
運転積算時間Ｔ３は、メモリ１２及びメモリ２２に記憶された運転積算時間Ｔ３’に、所定の測定単位時間ΔＴを加算した時間として、算出される（Ｓ５０２）。算出された運転積算時間Ｔ３は、メモリ１２及びメモリ２２に記憶されている運転積算時間データに上書きされる（Ｓ５０２）。尚、上記の測定単位時間ΔＴは、第１実施形態と同様に設定したものである。
【０１２０】
一方、運転状態ではない場合は（Ｓ５０１：ＮＯ）、運転積算時間Ｔ３の算出は行わず、次工程に進む。
【０１２１】
次に、メモリ１２に記憶された運転積算時間Ｔ３が、予め設定された第１設定寿命時間ＴＪ１以上であるか否かが判断される（Ｓ５０３）。尚、当該第１設定寿命時間ＴＪ１は、例えば、予めメモリ１２及びメモリ２２に記憶させておいたものでもよいし、マイクロコンピュータ１１及びマイクロコンピュータ２１のＲＯＭに記憶しておいたものでもよい。
【０１２２】
メモリ１２に記憶された運転積算時間Ｔ３が、予め設定された第１設定寿命時間ＴＪ１以上である場合は（Ｓ５０３：ＹＥＳ）、空気調和機が寿命に達したと判断して、マイクロコンピュータ１１及びマイクロコンピュータ２１は、リモコン３の表示部３３に寿命到達を示す表示をさせた後、空気調和機のシステム全体を停止させる処理、即ち、マイクロコンピュータ１１及びマイクロコンピュータ２１の作動を停止させる処理（第１処理、寿命到達処理）を実行する（Ｓ５０４）。これにより、リモコン３による空気調和機（室内機１及び室外機２）の操作は不能となる。
【０１２３】
一方、メモリ１２に記憶された運転積算時間Ｔ３が、予め設定された第１設定寿命時間ＴＪ１よりも小さい場合は（Ｓ５０３：ＮＯ）、当該運転積算時間Ｔ３が、予め設定された第２設定寿命時間ＴＪ２以上であるか否かが判断される（Ｓ５０５）。当該第２設定寿命時間ＴＪ２は、第１設定寿命時間ＴＪ１よりも小さな値となるように設定される。例えば、第１設定寿命時間ＴＪ１の８０％の値として設定される。尚、当該第２設定寿命時間ＴＪ２は、第１設定寿命時間ＴＪ１と同様に、例えば、予めメモリ１２及びメモリ２２に記憶させておいたものでもよいし、マイクロコンピュータ１１及びマイクロコンピュータ２１のＲＯＭに記憶しておいたものでもよい。
【０１２４】
メモリ１２に記憶された運転積算時間Ｔ３が、予め設定された第２設定寿命時間ＴＪ２以上である場合は（Ｓ５０５：ＹＥＳ）、マイクロコンピュータ１１及びマイクロコンピュータ２１は、リモコン３の表示部３３に延命運転を行う旨を表示をさせた後、空気調和機の運転を延命運転に切り換える処理（第２処理、寿命到達処理）を実行する。当該延命運転は、第１実施形態で説明したのと同様の運転である。
【０１２５】
尚、当該延命運転がなされた状態においては、例えば、第１設定寿命時間ＴＪ１よりも大きい延命寿命時間に基づいてステップ（Ｓ５０３）の判断がなされるように構成してもよい。当該延命寿命時間は、適切な時期に第１処理を行うため、延命運転時における機器の出力の低下割合が大きいほど、より大きくなるように設定することができる。
また、延命寿命時間を用いる場合に限らず、延命運転を行っている場合は、運転積算時間の算出ステップ（Ｓ５０２）において加算される時間を小さくして運転積算時間Ｔ３を算出するように構成してもよい。
【０１２６】
一方、メモリ１２に記憶された運転積算時間Ｔ３が、予め設定された第２設定寿命時間ＴＪ２よりも小さい場合は（Ｓ５０５：ＮＯ）、マイクロコンピュータ１１及びマイクロコンピュータ２１は、所定時間の経過を待ち（Ｓ５０７）、その後、再度、運転状態か否かを判断するステップ（Ｓ５０１）に戻る。
【０１２７】
以降、運転積算時間Ｔ３が第１設定寿命時間ＴＪ１以上になるまで、又は、室内機１及び室外機２の少なくともいずれか一方が外部電源との接続を断たれるまで（即ち、非通電状態となるまで）、上述したように、図８に示すフローチャートに基づいての空気調和機の制御が行われる。
【０１２８】
以上説明したように、第３実施形態にかかる空気調和機は、室内機１と、室外機２と、当該室内機１及び当該室外機２を操作するためのリモコン３と、を備える。前記室内機１と前記室外機２とに設けられ、空気調和運転がなされている状態で経過した時間である運転積算時間Ｔ３を記憶するメモリ１２及びメモリ２２を備える。そして、マイクロコンピュータ１１及びマイクロコンピュータ２１は、メモリ１２及びメモリ２２に記憶された運転積算時間Ｔ３が、予め設定された第２設定寿命値時間ＴＪ２に達すると、延命運転を実行し、また、当該運転積算時間Ｔ３が、予め設定された第１設定寿命時間ＴＪ１に達すると、空気調和機のシステム停止処理を実行する。
【０１２９】
この構成によると、運転積算時間Ｔ３を記憶する室内機１のメモリ１２が新しいメモリに交換された場合であっても、室外機２のメモリ２２にも運転積算時間Ｔ３のデータが記憶されているので、空気調和機に運転積算時間Ｔ３のデータを残すことができる。そして、室外機２のメモリ２２に記憶されている運転積算時間Ｔ３のデータを、室内機１の交換された新しいメモリに記憶させることができる。また、室外機２のメモリ２２が交換されても、同様に室内機１のメモリのデータを室外機２のメモリに移行させることができる。従って、マイクロコンピュータ１１及びマイクロコンピュータ２１は、空気調和機の製造時からの実際に空気調和運転がなされた時間の積算時間に基づいて、製品寿命を判断し、適切な時期に延命運転、及び、空気調和機のシステム停止処理を実行することが可能であり、システムを確実に保護することができる。
【０１３０】
第３実施形態にかかる空気調和機においては、メモリ１２及びメモリ２２に記憶されるデータで、メモリ交換後に製品寿命を判断するために必要なデータは、運転積算時間Ｔ３のデータのみとなる。従って、第３実施形態におけるデータ共有化工程においては、運転積算時間のデータのデータ移行を行えばよい。尚、メモリに記憶されている全てのデータを他のメモリに移行させる構成とすることもできる。
【０１３１】
また、第３実施形態においては、運転積算時間Ｔ３と設定寿命時間（第１設定寿命時間ＴＪ１又は第２設定寿命時間ＴＪ２）とを比較して所定の寿命到達処理（第１処理又は第２処理）を実行しているが、この場合に限らない。例えば、運転積算時間Ｔ３に所定の係数を乗算して算出される製品状態値が、予め設定された設定寿命値に達すると、所定の寿命到達処理を実行する構成としてもよい。
【０１３２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【０１３３】
上記実施形態においては、室内機１と室外機２とにそれぞれ記憶手段を設けた構成を示したがこの場合に限定されない。例えば、室内機１とリモコン３とにそれぞれ記憶手段を設ける構成や、室外機２とリモコン３とにそれぞれ記憶手段を設ける構成としてもよい。また、室内機１、室外機２及びリモコン３のいずれか一つに複数の記憶手段を設ける構成であってもよい。この場合、例えば、室内機１における異なる基板上に記憶手段を設けることで、一の基板が交換されても、他の基板上の記憶手段に製品寿命を判断するためのデータを残すことができる。
【０１３４】
また、上記実施形態において、製品状態値Ｐは、空気調和機の劣化が進むほど、大きくなるような値として算出されているが、この場合に限定されない。例えば、製品状態値Ｐは、空気調和機の劣化が進むほど、小さくなるような値として算出されるものであってもよい。
【０１３５】
また、上記実施形態においては、寿命到達を示す表示、延命運転を行う旨の表示、図６に示す使用経過時間Ｔ４及び使用可能時間Ｔ５の情報の表示等について、リモコン３の表示部３３に表示される構成について説明したが、この場合に限定されない。例えば、室内機１の本体に表示部を設け、当該室内機１本体の表示部に、これらの表示をさせても良い。また、リモコン３の表示部３３と室内機１本体の表示部との双方に、これらの表示をさせても良い。
【産業上の利用可能性】
【０１３６】
本発明を利用すれば、適切な時期に寿命到達処理を実行することができる。
【図面の簡単な説明】
【０１３７】
【図１】本発明の第１実施形態にかかる空気調和機の構成を示すブロック図である。
【図２】本発明の第１実施形態にかかる空気調和機の制御方法を説明するためのフローチャートである。
【図３】図２におけるデータ共有化工程を説明するためのフローチャートである。
【図４】データ共有化工程の変形例を示すフローチャートである。
【図５】外部電源からの電力供給回路を示す図である。
【図６】使用経過時間及び使用可能時間の情報の表示例を示す図である。
【図７】本発明の第２実施形態にかかる空気調和機の制御方法を説明するためのフローチャートである。
【図８】本発明の第３実施形態にかかる空気調和機の制御方法を説明するためのフローチャートである。
【図９】図８におけるデータ共有化工程を説明するためのフローチャートである。
【符号の説明】
【０１３８】
１  室内機
２  室外機
３  リモコン
１１  マイクロコンピュータ（総経過時間計測手段、通電積算時間計測手段、運転積算時間計測手段、製品状態値算出手段、寿命到達処理実行手段、データ移行手段）
１２  メモリ（記憶手段）
１３  室内ファン
２１  マイクロコンピュータ（総経過時間計測手段、通電積算時間計測手段、運転積算時間計測手段、製品状態値算出手段、寿命到達処理実行手段、データ移行手段）
２２  メモリ（記憶手段）
３１  マイクロコンピュータ
３２  操作部
３３  表示部
【図１】
2009275943.tif 000008
【図２】
2009275943.tif 000009
【図３】
2009275943.tif 000010
【図４】
2009275943.tif 000011
【図５】
2009275943.tif 000012
【図６】
2009275943.tif 000013
【図７】
2009275943.tif 000014
【図８】
2009275943.tif 000015
【図９】
2009275943.tif 000016